(57)【要約】      （修正有）【課題】ガソリン直噴システムにおける高圧化に際し、レール本体とエンドキャップとをろう付け固定した場合であっても、レール本体の肉厚を厚くすることなくろう付け部の破壊を防止可能とする。【解決手段】レール本体１の両端内方にエンドキャップ２が挿入配置されるとともにこのエンドキャップ２の外周３とレール本体1の内周４とがろう付け固定されたガソリン直噴レールにおいて、上記レール本体１の両端内方にその外径をレール本体１の内径に対応させた円柱状のエンドキャップ２を挿入配置するとともに当該レール本体１の外周７に補強リング６を備え、この補強リング６のエンドキャップ２側の一端の位置が上記レール本体１とエンドキャップ２とのろう付け部１２に重なる位置であるとともにこのろう付け部１２の先端１３から補強リング６の他端１１までの距離Ｙが５mm≦Ｙ≦３０mmであって補強リング６の肉厚がレール本体１の肉厚の４０％以上である。【選択図】図１
2020186727.tif 000002
【特許請求の範囲】
【請求項１】
レール本体の両端内方にエンドキャップが挿入配置されるとともに、このエンドキャップの外周とレール本体の内周とがろう付け固定されたガソリン直噴レールにおいて、上記レール本体の両端内方に、その外径をレール本体の内径に対応させたエンドキャップを挿入配置するとともに当該レール本体の外周に補強リングを備え、この補強リングのエンドキャップ側の一端の位置が、上記レール本体とエンドキャップとのろう付け部に重なる位置であるとともに、このろう付け部の先端から補強リングの他端までの距離Ｙが５mm≦Ｙ≦３０mmであって、補強リングの肉厚がレール本体の肉厚の４０％以上であることを特徴とするガソリン直噴レール。
【請求項２】
補強リングは、ろう付け、焼きばめ、又は溶接にてレール本体に固定されたことを特徴
とする請求項１のガソリン直噴レール。
【発明の詳細な説明】
【技術分野】
【０００１】
本発明は、ガソリン直噴用のレールに関するものである。
【背景技術】
【０００２】
従来より、ガソリン直噴レールは特許文献１に示す如く、レール本体の両端にエンドキャップを挿入配置したものが一般的に使用されており、その中でも図４に示す如く、レール本体(31)にエンドキャップ(32)を離脱困難に固定するために、レール本体(31)の内周(33)とエンドキャップ(32)の外周(34)とをろう付け固定したものが存在する。
【先行技術文献】
【特許文献】
【０００３】
【特許文献１】特開2012-97690号公報
【発明の概要】
【発明が解決しようとする課題】
【０００４】
しかしながら、上記の如くレール本体(31)とエンドキャップ(32)とをろう付け固定した場合には、図５の矢印に示す如く燃料流通部に内圧が付加された場合に、この内圧によってレール本体(31)が拡径方向に変形するものとなるため、この変形によりろう付け部(35)を引き剥がす力が作用する。そのため、今後システムを高圧化した場合には、従来のレール本体(31)の肉厚ではエンドキャップ(32)とレール本体(31)とのろう付け部(35)がこのろう付け部(35)の先端(36)側から破壊してしまうおそれがある。このような事態を回避する手段としては、レール本体(31)の肉厚を従来のものよりも厚くする方法が考えられるが、肉厚を厚くした場合にはレール本体(31)の容積が大きくなることから、熱が伝わりにくくなってろう付けの際にろう材の溶融温度まで温度を上げることができず、ろう付け困難となるとともに、重量が重くなりガソリンの燃費性能が低下するものとなる。
【０００５】
そこで、本発明は上記の如き課題を解決しようとするものであって、今後のガソリン直噴システムにおける高圧化に際し、レール本体とエンドキャップとをろう付け固定した場合であっても、レール本体の肉厚を厚くすることなくろう付け部の破壊を防止可能にしようとするものである。
【課題を解決するための手段】
【０００６】
本発明は、レール本体の両端内方にエンドキャップが挿入配置されるとともに、このエンドキャップの外周とレール本体の内周とがろう付け固定されたガソリン直噴レールにおいて、上記レール本体の両端内方に、その外径をレール本体の内径に対応させたエンドキャップを挿入配置するとともに当該レール本体の外周に補強リングを備え、この補強リングのエンドキャップ側の一端の位置が、上記レール本体とエンドキャップとのろう付け部に重なる位置であるとともに、このろう付け部の先端から補強リングの他端までの距離Ｙが５mm≦Ｙ≦３０mmであって、補強リングの肉厚がレール本体の肉厚の４０％以上としたものである。
【０００７】
ここで、レール本体に補強リングを備えた際のレール本体の内圧付加時の応力の低減効果について有限要素解析を行った。この有限要素解析について説明すると、まず補強リングの肉厚をレール本体の肉厚の４０％とするとともに、軸方向長さＬをそれぞれ４、５、１０、３０とした複数の補強リングを用意し、各補強リングにおける、応力比と補強リングの一端からろう付け部の先端までの距離Ｘとの関係について解析した。その解析結果を図３(a)に示す。尚、上記応力比とは、レール本体に補強リングを備えない場合の発生応力と補強リングを備えた場合の発生応力との比率を示すものであって、応力比＝（補強リングを備えた場合の発生応力）／（レール本体に補強リングを備えない場合の発生応力）の数式にて算出されるものである。そして応力比が1.0の場合は応力低減効果がないことを意味し、値が０に近づけば近づくほど応力低減効果が高いことを示す。
【０００８】
この有限要素解析の結果、図３(a)に示す如く補強リングの長さＬ＝４の場合には応力比がＸの値にかかわらず１．０からあまり減少しないのに対し、Ｌ＝５、１０、３０の場合には、いずれもＸが０に近づくにつれて、応力比が１．０から明らかに減少することが確認された。この結果から、本発明ではろう付け部の先端から補強リングの他端までの距離ＹをＹ≧５mmとしている。
【０００９】
次に、軸方向長さＬを１０mmとするとともに、各肉厚をレール本体の肉厚の２０％、４０％とした２種類の補強リングを用意し、各補強リングの応力比と補強リングの一端からろう付け部の先端までの距離Ｘとの関係についても解析した。その解析結果を図３(b)に示す。
【００１０】
この有限要素解析結果から、図３(b)に示す如くレール本体との肉厚比が２０％の場合には応力比の減少がほとんど見られないのに対し、肉厚比が４０％の場合には、いずれもＸが０に近づくにつれて応力比が明らかに減少することが確認された。この結果から、本発明では補強リングの肉厚をレール本体の肉厚の４０％以上としている。
【００１１】
尚、本発明については、補強リングのエンドキャップ側の一端の位置が、上記レール本体とエンドキャップとのろう付け部に重なる位置であることを必須の構成要件としていることから、補強リングの一端からろう付け部の先端までの距離については特に問題となることはない。
【００１２】
また本発明において、ろう付け部の先端から補強リングの他端までの距離ＹをＹ≦３０mmとしている。ろう付け部の先端から補強リングの他端までの距離Ｙを３０mmより長くしても著しい応力の減少効果は見られず、逆に、材料の無駄になるとともに製品の重量が重くなるという問題が生じる。
【００１３】
また本発明において、補強リングはろう付け、焼きばめ、又は溶接にてレール本体に固定されたものであっても良い。
【発明の効果】
【００１４】
本願の本発明は上述の如く、応力又は変位量が大きいレール本体の外周位置に補強リングを備えたものであるから、レール本体の拡径方向への変形を抑えることができる。そのため、今後のガソリン直噴システムにおける高圧化に際し、レール本体とエンドキャップとをろう付け固定した場合であっても、レール本体の肉厚を厚くする必要がないため、レール本体の重量を重くすることなく、ろう付け部の破壊を防止可能とするものである。
【図面の簡単な説明】
【００１５】
【図１】実施例１を示す断面図。
【図２】実施例１を示す斜視図。
【図３】応力比と補強リングの一端からろう付け部の先端までの距離Ｘとの関係を示すグラフ。
【図４】従来例を示す断面図。
【図５】従来例を示す内圧付加時の断面図。
【実施例１】
【００１６】
実施例１について、図１〜３において以下に説明する。まず、(1)はレール本体であって、このレール本体(1)の外径を22mmとするとともに、内径を17mmとしている。また、レール本体(1)の外径Ｄと肉厚ｔとの比を0.1としている。またこのレール本体(1)の材質を、ステンレス製としている。尚、本実施例では上記の如くレール本体(1)の材質をステンレス製としているが、他の異なる実施例では鉄鋼製とすることも可能である。またこのレール本体(1)の両端内方には、その外径をレール本体(1)の内径に対応させた円柱状のエンドキャップ(2)を挿入配置している。
【００１７】
そしてこのエンドキャップ(2)の外周(3)とレール本体(1)の内周(4)との間隔にろう材(5)を配置し、エンドキャップ(2)とレール本体(1)とをろう付け固定している。またこのレール本体(1)の外周(7)には補強リング(6)を装着している。この補強リング(6)は、軸方向の長さＬ＝２０mmの円筒形であって、その内周をレール本体(1)の外周(7)にろう付けにて固定している。尚、本実施例では上記の如く、補強リング(6)をレール本体(1)にろう付け固定しているが、他の異なる実施例ではこれに限らず、補強リング(6)をレール本体(1)に焼きばめ、又は溶接にて固定配置することも可能である。
【００１８】
またこの補強リング(6)は、その肉厚をレール本体(1)の肉厚ｔの１２０％としている。尚、補強リング(6)とエンドキャップ(2)の材質はステンレス又は鉄鋼である。また、本発明のガソリン直噴レールに使用するレール本体(1)の寸法は、外径Ｄが１０mm〜25mm、内径が７mm以上、外径Ｄと肉厚ｔの比が、ｔ/Ｄ＝０．１〜０．２５のものが好ましい。
【００１９】
また本実施例では、補強リング(6)のエンドキャップ(2)側の一端(10)の位置が、レール本体(1)とエンドキャップ(2)とのろう付け部(12)に重なる位置に補強リング(6)を固定配置している。
【００２０】
そしてこのレール本体(1)の両端内方には、このレール本体(1)の内径に外径を対応させた円柱状のエンドキャップ(2)を挿入配置するとともに、エンドキャップ(2)の外周(3)とレール本体(1)の内周(4)との間隔をろう材(5)にてろう付け固定している。またこのレール本体(1)の外周(7)には、補強リング(6)を装着しており、この補強リング(6)は、軸方向の長さＬ＝30mmの円筒形であって、その内周をレール本体(1)の外周(7)にろう付けにて固定している。またこの補強リング(6)は、その肉厚をレール本体(1)の肉厚の120％としている  。
【００２１】
また図１、２に示す如く、補強リング(6)のエンドキャップ(2)側の一端(10)の位置が、レール本体(1)とエンドキャップ(2)とのろう付け部(12)に重なるよう補強リング(6)をレール本体(1)に装着しており、レール本体(1)の一端側の端面が補強リング(6)の一端(10)側の端面と面一になるよう配置している。そして、図１に示すレール本体(1)とエンドキャップ(2)とのろう付け部(12)の先端(13)から補強リング(6)の他端(11)までの距離Ｙを、Ｙ＝20mmとしている。
【００２２】
上記の如く、補強リング(6)のエンドキャップ(2)側の一端(10)の位置が、レール本体(1)とエンドキャップ(2)とのろう付け部(12)に重なる位置に補強リング(6)をレール本体(1)に固定配置するとともに、ろう付け部(12)の先端(13)から補強リング(6)の他端(11)までの距離ＹをＹ≧５mm、補強リング(6)の肉厚をレール本体(1)の肉厚の４０％以上とすることにより、内圧の付加によってレールに発生する応力又は変位量が大きいレール本体(1)の外周(7)位置に補強リング(6)が備えられたものとなる。そのため、レール本体(1)の拡径方向への変形を抑えることができ、ろう付け部(12)の破壊を防止することが可能となる。
【符号の説明】
【００２３】
1    レール本体
2    エンドキャップ
3    外周(エンドキャップ)
4    内周
6    補強リング
7    外周(レール本体)
10    一端
11    他端
12    ろう付け部
13    先端
【図１】
2020186727.tif 000003
【図２】
2020186727.tif 000004
【図３】
2020186727.tif 000005
【図４】
2020186727.tif 000006
【図５】
2020186727.tif 000007